(57)【要約】【課題】撮像装置において、ストロボ筐体の回転ヒンジ周りを大型化させず、発光部の移動動作を妨げずに、発光部が発光位置にあることを発光位置の近傍において検出する。【解決手段】撮像装置は、収納位置と発光位置との間を回動して移動可能なストロボユニット１００を発光位置へ向けて付勢する駆動ばね１１２と、上蓋１１１に設けられ、押し込み量に応じて電気的接続が切り替わる押し込み部１３０ａを有するストロボ位置検出スイッチ１３０と、ストロボユニット１００に回転可能に軸支されるスイッチアシストレバー１２０と、スイッチアシストレバー１２０を上蓋１１１の方向へ付勢するレバー付勢ばね１２１を備え、ストロボユニット１００の動きに応じてスイッチアシストレバー１２０の押圧部１２０ａによる押し込み部１３０ａの押し込み量が変わることでストロボユニット１００が収納位置と発光位置のいずれにあるかを検出する。【選択図】図４
2014224951.tif 000002
【特許請求の範囲】
【請求項１】
撮像装置であって、
発光部を有し、収納位置と発光位置との間を回動して移動することができるように前記撮像装置の外装部材に軸支されるストロボ筐体と、
前記ストロボ筐体を前記収納位置から前記発光位置へ向けて駆動する駆動手段と、
前記外装部材において前記ストロボ筐体が前記収納位置にあるときの前記ストロボ筐体と対向する面に設けられ、ピンまたはレバーからなる押し込み部を有し、前記押し込み部が所定の押し込み量になると電気的接続が切り替わることで前記ストロボ筐体の位置を検出する位置検出手段と、
前記ストロボ筐体が前記収納位置にあるときに前記位置検出手段と対向する位置において前記ストロボ筐体に回転可能に軸支され、前記ストロボ筐体が前記発光位置にあるときには前記ストロボ筐体が前記収納位置にあるときの前記ストロボ筐体において前記外装部材と対向する面から突出する押圧部を有するレバー部材と、
前記レバー部材を前記外装部材の方向へ付勢するレバー付勢手段とを備え、
前記ストロボ筐体が前記収納位置と前記発光位置との間を移動するときに前記押圧部による前記押し込み部の押し込み量が変わることで前記位置検出手段は前記ストロボ筐体が前記収納位置と前記発光位置のいずれの位置にあるかを検出することを特徴とする撮像装置。
【請求項２】
前記駆動手段は、前記ストロボ筐体を前記発光位置へ向けて付勢する駆動ばねであることを特徴とする請求項１に記載の撮像装置。
【請求項３】
前記位置検出手段は、前記押し込み部が所定の押し込み量で電気的に接続するノーマルオープンタイプまたは所定の押し込み量で電気的接続を切断するノーマルクローズタイプの押し込み式検出スイッチであることを特徴とする請求項１又は２に記載の撮像装置。
【請求項４】
前記ストロボ筐体において前記ストロボ筐体が前記収納位置にあるときに前記外装部材と対向する面に、前記レバー部材の前記押圧部を突出させる開口部が設けられ、
前記レバー部材は、前記ストロボ筐体が前記発光位置にあるときに前記レバー付勢手段による付勢力により前記ストロボ筐体に当接することで前記レバー部材の前記押圧部を前記開口部から突出した状態を保持するストッパ部を有することを特徴とする請求項１乃至３のいずれか１項に記載の撮像装置。
【請求項５】
前記外装部材において前記ストロボ筐体が前記収納位置にあるときに前記ストロボ筐体と対向する面に貫通穴が設けられ、
前記位置検出手段は、前記位置検出手段の前記押し込み部が前記貫通穴から所定量だけ前記ストロボ筐体へ向けて突出するように配置されていることを特徴とする請求項１乃至４のいずれか１項に記載の撮像装置。
【請求項６】
前記レバー部材の前記押圧部において前記位置検出手段の前記押し込み部と当接する面の面積は、前記外装部材において前記位置検出手段の前記押し込み部を突出させるために設けられた前記貫通穴の面積よりも大きいことを特徴とする請求項５に記載の撮像装置。
【請求項７】
前記レバー付勢手段による付勢力は前記位置検出手段の前記押し込み部の反力よりも大きいことを特徴とする請求項１乃至６のいずれか１項に記載の撮像装置。
【請求項８】
前記レバー部材と前記レバー付勢手段は、前記ストロボ筐体の左右方向の中心に対して前記駆動手段とは反対側に配置されていることを特徴とする請求項１乃至７のいずれか１項に記載の撮像装置。
【請求項９】
前記外装部材に設けられ、前記ストロボ筐体を前記収納位置に保持する係止爪と、
前記ストロボ筐体を前記収納位置へ向けて引き込むように前記係止爪を付勢する係止爪付勢手段とを備え、
前記係止爪付勢手段が前記ストロボ筐体を前記収納位置へ向けて引き込む力は、前記駆動手段と前記レバー付勢手段とが前記ストロボ筐体を前記発光位置へ向かわせる力よりも大きいことを特徴とする請求項１乃至８のいずれか１項に記載の撮像装置。
【発明の詳細な説明】
【技術分野】
【０００１】
本発明は、収納位置と発光位置との間で移動可能なストロボ装置を備える撮像装置に関し、特に、ストロボ装置の発光部の位置を検出する技術に関する。
【背景技術】
【０００２】
収納位置（待機位置）と発光位置（突出位置）との間を移動可能なストロボ装置を備える撮像装置が知られている。図７は、周知の撮像装置におけるストロボ装置近傍の外観斜視図である。図７（ａ）は、ストロボ装置が収納位置にある状態を示しており、図７（ｂ）は発光位置にある状態を示している。
【０００３】
図７において、発光部７００は、ストロボ筐体７０１に保持されている。ストロボ筐体７０１は、撮像装置の上面外観を形成している上面外装部材７１０の略中央部おいて、収納位置と発光位置との間を回動により移動可能に配置されている。
【０００４】
発光部７００が収納位置と発光位置のどちらにあるのかを検出するための検出スイッチ７０２が、ストロボ筐体７０１を保持する上面外装部材７１０側に設けられている。検出スイッチ７０２は、発光部７００が発光位置から収納位置へ移動すると、ストロボ筐体７０１の下面７０１ａによって撮像装置の本体側へ押し込まれことで、検出スイッチ７０２の電気的接続が切り替わる。これにより、発光部７００が発光位置から収納位置へ移動したことが検出され、このとき、発光部７００による発光が禁止される。
【０００５】
同様に、発光部７００が収納位置から発光位置へ移動すると、検出スイッチ７０２が押し込まれた状態から突出した状態へと変わることで、検出スイッチ７０２の電気的接続が切り替わる。これにより、発光部７００が収納位置から発光位置へ移動したことが検出され、発光部７００による発光禁止が解除される。
【０００６】
これとは別に、発光部を備えるストロボ筐体の回転ヒンジ部に設けられたカムと、外装部材側に電気的に接続する検出接片と、検出接片に一体的に取り付けられた押圧部材とを有する構成によって発光部の位置を検出する技術が提案されている（特許文献１参照）。この構成では、例えば、発光部が収納位置から発光位置へ移動を開始すると、カムが押圧部材に当接し、押圧部材が押し下げられることで検出切片も押し下げられて電気的接続が切り替わることで、発光部が発光位置へ移動したことが検出される。
【先行技術文献】
【特許文献】
【０００７】
【特許文献１】特開２００５−３４５８９３号公報
【発明の概要】
【発明が解決しようとする課題】
【０００８】
図７に示した押し込み式の検出スイッチ７０２では、押し込み部の検出ストロークが短く、収納位置の近傍でしか検出スイッチ７０２の電気的接続が切り替わらない。そのため、発光部７００が収納位置の近傍にある状態でも、発光部７００が発光位置にあると検出してしまい、発光部７００が収納位置の近傍にある状態で発光指示が出された場合に、発光してしまうという問題がある。
【０００９】
特許文献１に記載された技術では、カムと押圧部材との当接のタイミングにより、発光位置に近い位置で検出接片の電気的接続が切り替わり、発光部が収納位置と発光位置のどちらにあるかを検出することができる。しかし、ストロボ筐体の回転ヒンジ部にカム形状を設けなければならないため、ヒンジ周りが大型化してしまうという問題がある。また、発光部が収納位置から発光位置に移動する間にカムと押圧部材とが当接して押圧部材を押し下げることで検出接片の電気的接続を切り替える構造では、発光位置に移動する方向の駆動力に対して押圧部材の動きが抵抗として作用する。このため、例えば、摩擦抵抗が増大する低温環境下では、発光部の収納位置から発光位置への移動動作が遅くなってしまうという問題が生じる。
【００１０】
本発明は、収納位置と発光位置との間を移動可能なストロボ装置を備える撮像装置において、ストロボ筐体の回転ヒンジ周りを大型化させることなく、また、発光部の移動動作を妨げることなく、発光部が発光位置にあることを発光位置の近傍において検出することができる撮像装置を提供することを目的とする。
【課題を解決するための手段】
【００１１】
本発明に係る撮像装置は、撮像装置であって、発光部を有し、収納位置と発光位置との間を回動して移動することができるように前記撮像装置の外装部材に軸支されるストロボ筐体と、前記ストロボ筐体を前記収納位置から前記発光位置へ向けて駆動する駆動手段と、前記外装部材において前記ストロボ筐体が前記収納位置にあるときの前記ストロボ筐体と対向する面に設けられ、ピンまたはレバーからなる押し込み部を有し、前記押し込み部が所定の押し込み量になると電気的接続が切り替わることで前記ストロボ筐体の位置を検出する位置検出手段と、前記ストロボ筐体が前記収納位置にあるときに前記位置検出手段と対向する位置において前記ストロボ筐体に回転可能に軸支され、前記ストロボ筐体が前記発光位置にあるときには前記ストロボ筐体が前記収納位置にあるときの前記ストロボ筐体において前記外装部材と対向する面から突出する押圧部を有するレバー部材と、前記レバー部材を前記外装部材の方向へ付勢するレバー付勢手段とを備え、前記ストロボ筐体が前記収納位置と前記発光位置との間を移動するときに前記押圧部による前記押し込み部の押し込み量が変わることで前記位置検出手段は前記ストロボ筐体が前記収納位置と前記発光位置のいずれの位置にあるかを検出することを特徴とする。
【発明の効果】
【００１２】
本発明によれば、収納位置と発光位置との間を移動可能なストロボ装置を有する撮像装置において、発光部を備えるストロボ筐体の下面から突出したレバー部材がストロボ筐体の位置を検出する位置検出手段の押し込み部を押し込む。これにより、従来のストロボ筐体の下面で押し込み部を直接に押し込む構成と比較して、発光部が発光位置の近くにある状態で、発光部が発光位置にあることを検出することができる。これにより、発光部が収納状態にあるときの発光を確実に禁止することができる。
【００１３】
また、レバー部材は、ストロボ筐体の回転ヒンジ部から離れた位置に配置することができるため、ストロボ筐体の回転ヒンジ周りを大きくする必要がない。さらに、ストロボ筐体の収納位置において、レバー部材はレバー付勢手段により発光位置に移動する方向に付勢力が作用しているため、ストロボ筐体が収納位置から発光位置に移動する際の駆動力として作用する。そのため、例えば、低温環境下でも、ストロボ筐体の収納位置から発光位置への移動動作が遅くなることを防止することができる。
【図面の簡単な説明】
【００１４】
【図１】本発明の実施形態に係る撮像装置の部分斜視図である。
【図２】図１の撮像装置が備えるストロボユニットが発光位置にあるときのストロボユニット周りの構造を撮像装置の正面に向かって左上から見たときの斜視図である。
【図３】図１の撮像装置が備えるストロボユニットが収納位置にあるときの横断面図である。
【図４】図１の撮像装置が備えるストロボユニットを発光位置から収納位置に移動するときのストロボ位置検出スイッチの動作を時系列で示す第１の側面図である。
【図５】図１の撮像装置が備えるストロボユニットを発光位置から収納位置に移動するときのストロボ位置検出スイッチの動作を時系列で示す第２の側面図である。
【図６】図１の撮像装置が備えるストロボユニットを発光位置から収納位置に移動するときのストロボ位置検出スイッチの動作を時系列で示す第３の側面図である。
【図７】周知の撮像装置におけるストロボ装置近傍の外観斜視図である。
【発明を実施するための形態】
【００１５】
以下、本発明の実施形態について、添付図面を参照して説明する。図１は、本実施形態に係る撮像装置の部分斜視図である。図１（ａ）は、撮像装置が備えるストロボユニット（ストロボ装置）１００が収納位置にあるときの収納位置周りの構造を撮像装置の正面に向かって左上から見たときの斜視図である。図１（ｂ）は、ストロボユニット１００が収納位置にあるときの収納位置周りの構造を撮像装置の正面に向かって右上から見たときの斜視図である。
【００１６】
撮像装置は、発光部を構成するストロボユニット１００と、ストロボユニット１００の各種構成部品を保持し、ストロボユニット１００の構造体となるストロボ筐体（ストロボケース）１０１を備える。なお、ストロボ筐体１０１は、ストロボユニット１００の外観を形成するストロボカバー（不図示）と係合されている。
【００１７】
ストロボユニット１００は、発光管１０２、反射パネル１０５、ストロボパネル１０７及びトリガコイル１０８を有する。発光管１０２は、カメラ本体に設けられたストロボ発光回路（不図示）から発せられた発光信号により放電を開始して閃光を発する。発光管１０２には、ストロボ発光回路からの電源を供給する接点部１０３，１０４が設けられている。反射パネル１０５は、発光管１０２から発せられた光を集光して被写体に照射する。また、反射パネル１０５は、シリコンゴム等の弾性部材からなる固定部材（不図示）によって発光管１０２を保持している。
【００１８】
ストロボパネル１０７は、ストロボ筐体１０１に対して嵌め込み又は接着により固定されており、反射パネル１０５により集光された光の照射範囲を制御する。発光管１０２及び反射パネル１０５から撮像装置の外部への高圧電源のリークを防止するために、ストロボパネル１０７の外周を囲むリブが、反射パネル１０５を囲むように形成されている。
【００１９】
発光管１０２を保持している反射パネル１０５は、ストロボパネル１０７に圧入、嵌合されている。これにより発光管１０２はストロボ筐体１０１に対して位置決めされ、保持、固定される。これら発光管１０２、反射パネル１０５及びストロボパネル１０７によって、発光ユニット２００が構成される。
【００２０】
トリガコイル１０８は、発光管１０２が発光を始める信号を発生させる。発光管１０２及びトリガコイル１０８とストロボ発光回路とは、リード線１０９によって電気的に接続されている。リード線１０９は、ストロボユニット１００が撮像装置本体に取り付けられて収納位置にあるときに最も長く且つ必要な長さを有する。
【００２１】
ストロボユニット１００は、回転軸１１０ａ，１１０ｂにより、収納位置と発光位置の間を回動動作により移動可能である。回転軸１１０ａ，１１０ｂは、一方がストロボ筐体１０１に嵌合し、他方が撮像装置の外装部材の一部である上蓋１１１に嵌合することで、ストロボユニット１００を上蓋１１１に対して回動可能に保持している。回転軸１１０ａは中空軸として形成されており、リード線１０９は回転軸１１０ａの内部を通って、撮像装置の内部に導かれ、ストロボ発光回路に接続されている。
【００２２】
ストロボユニット１００は、一端が上蓋１１１に掛けられ、他端がストロボ筐体１０１に形成されたばね掛け部１０１ｅに掛けられた駆動ばね１１２を有する。駆動ばね１１２は、ストロボユニット１００を発光位置へ向けて移動する方向に付勢している。ストロボユニット１００は、収納位置では、上蓋１１１の内側に回動可能に軸支された係止爪１１４がストロボ筐体１０１に形成された係止部１０１ｈに係合することにより、保持されている。係止爪１１４は、係止爪付勢ばね１１５（図６参照）により、ストロボユニット１００を収納位置へ向けて引き込むように付勢されている。発光ユニット２００は、収納位置では、撮像装置の前側を覆う外装部材である前カバー１４０によって覆われている。
【００２３】
ストロボユニット１００は、スイッチアシストレバー（レバー部材）１２０及びレバー付勢ばね１２１を有する。スイッチアシストレバー１２０は、ストロボ筐体１０１に設けられた回転軸１０１ａと嵌合することにより、ストロボ筐体１０１に対して回転可能に保持されている。レバー付勢ばね１２１の一端はストロボ筐体１０１に形成されたばね掛け部１０１ｂに掛けられており、他端はスイッチアシストレバー１２０に設けられたばね掛け部１２０ｂに掛けられている。これにより、スイッチアシストレバー１２０は、レバー付勢ばね１２１により上蓋１１１の方向に移動するように付勢されている。なお、スイッチアシストレバー１２０及びレバー付勢ばね１２１は、駆動ばね１１２とストロボ筐体１０１の左右方向の中心に対して左右逆側に配置されている。
【００２４】
ストロボ筐体１０１には、スイッチアシストレバー１２０のばね掛け部１２０ｂの先端と摺動する摺動面１０１ｉが、ばね掛け部１２０ｂの先端から所定のクリアランスを設けて形成されている。ばね掛け部１２０ｂの先端と摺動面１０１ｉとが当接することにより、スイッチアシストレバー１２０が回転軸１０１ａに対して倒れるのを防止している。
【００２５】
図２は、ストロボユニット１００が発光位置にあるときのストロボユニット１００周りの構造を撮像装置の正面に向かって左上から見たときの斜視図である。撮像装置は、ストロボユニット１００の位置を検出するストロボ位置検出スイッチ１３０を備える。ストロボ位置検出スイッチ１３０は、上蓋１１１においてストロボユニット１００が収納位置にあるときにストロボユニット１００と対向する位置に配置される。ストロボ位置検出スイッチ１３０は、ピン形状を有する押し込み部１３０ａを有し、上蓋１１１の裏面に配置されたフレキシブルプリント基板（不図示）に実装されている。ここで、上蓋１１１には貫通穴１１１ａが設けられており、押し込み部１３０ａは、貫通穴１１１ａを貫通して上蓋１１１の上面１１１ｂから所定量（高さ）だけ突出している。また、スイッチアシストレバー１２０（押圧部１２０ａ（図４参照））は、ストロボ筐体１０１の下面１０１ｄに形成された開口部１０１ｊから突出している。
【００２６】
図３は、ストロボユニット１００が収納位置にあるときの横断面図であり、ストロボ筐体１０１を覆う外装部材であるストロボカバー３００を展開した状態を示している。ストロボカバー３００の裏面には軸受部３０１が設けられている。ストロボカバー３００をストロボ筐体１０１に組み付けることにより、ストロボカバー３００の軸受部３０１に設けられた切り欠き部３０１ａがスイッチアシストレバー１２０の回転軸１０１ａと嵌合する。また、軸受部３０１の側面３０１ｂが、スイッチアシストレバー１２０の側面に位置し、これにより、軸受部３０１はスイッチアシストレバー１２０の抜け止めとして機能する。なお、ストロボカバー３００は、ストロボ筐体１０１に対して係合或いはビス等により固定される。
【００２７】
図４、図５及び図６は、ストロボユニット１００を発光位置から収納位置に移動するときのストロボ位置検出スイッチ１３０の動作を時系列で示す側面図である。図４（ａ）は、ストロボユニット１００が発光位置にあるときの状態を示している。ストロボ位置検出スイッチ１３０の押し込み部１３０ａを撮像装置の内部に向けて押し込むためのスイッチアシストレバー１２０の押圧部１２０ａは、レバー付勢ばね１２１の付勢力により上蓋１１１の方向に付勢されている。この状態で、スイッチアシストレバー１２０のばね掛け部１２０ｂがストロボ筐体１０１の内面１０１ｃに当接することにより、スイッチアシストレバー１２０は、ストロボ筐体１０１の下面１０１ｄから所定量突出した状態で保持されている。つまり、ストロボユニット１００が発光位置にあるとき、ばね掛け部１２０ｂは、スイッチアシストレバー１２０の押圧部１２０ａがストロボ筐体１０１の下面１０１ｄに形成された開口部１０１ｊから突出した状態を保持するストッパ部として機能する。
【００２８】
ストロボユニット１００が発光位置にある図４（ａ）の状態から使用者がストロボユニット１００を手動により収納位置の方向に移動させる。すると、スイッチアシストレバー１２０の押圧部１２０ａがストロボ位置検出スイッチ１３０の押し込み部１３０ａに当接し、図４（ｂ）に示す状態となる。ここで、スイッチアシストレバー１２０の押圧部１２０ａは、矢印Ｓで示すストロボ位置検出スイッチ１３０の押し込み方向に対して垂直となるように、形状設計がなされている。また、レバー付勢ばね１２１による付勢力は、ストロボ位置検出スイッチ１３０の押し込み部１３０ａの反力よりも大きくなるように設定されている。
【００２９】
図４（ｂ）の状態からストロボユニット１００を更に収納位置へ向けて移動させる。すると、スイッチアシストレバー１２０の押圧部１２０ａが、レバー付勢ばね１２１の付勢力により、ストロボ位置検出スイッチ１３０の押し込み部１３０ａを押し込み方向（矢印Ｓ方向）に押し込む。ストロボ位置検出スイッチ１３０の押し込み部１３０ａが電気的に接続される所定の押し込み量（ストローク）まで押し込まれると、ストロボ位置検出スイッチ１３０が電気的に接続され、ストロボユニット１００が収納状態にあることが検出される。
【００３０】
ストロボユニット１００を更に収納位置へ向けて移動させると、スイッチアシストレバー１２０の押圧部１２０ａが上蓋１１１の上面１１１ｂに当接し、図５（ａ）に示す状態となる。ここで、スイッチアシストレバー１２０の押圧部１２０ａにおいてストロボ位置検出スイッチ１３０の押し込み部１３０ａと当接する面の面積は、上蓋１１１の上面１１１ｂに設けられた貫通穴１１１ａの面積よりも十分に大きく設定されている。よって、押圧部１２０ａが貫通穴１１１ａに落ち込むことはない。
【００３１】
図５（ａ）の状態からストロボユニット１００を更に収納位置へ向けて移動させる。すると、スイッチアシストレバー１２０の押圧部１２０ａがストロボ位置検出スイッチ１３０の押し込み部１３０ａを押し込んだ状態を維持しながら、スイッチアシストレバー１２０は図５（ａ）での図示において反時計方向に回転する。これにより、上蓋１１１に設けられた係止爪１１４のカム面１１４ａと、収納状態において係止爪１１４が収納されるストロボ筐体１０１に設けられた開口部１０１ｆの口元に形成されたカム面１０１ｇとが当接し、図５（ｂ）の状態となる。なお、図５（ｂ）は、図５（ａ）とは反対の方向（図５（ａ）の奥側から手前側へ向かう方向）から見た図である。
【００３２】
図５（ｂ）の状態からストロボユニット１００を更に収納位置へ向けて移動させる。すると、係止爪１１４が回転軸１１４ｂを中心として時計回りに回転して退避し、係止爪１１４のカム面１１４ａとストロボ筐体１０１のカム面１０１ｇが離れ、その後、係止爪１１４の係止部１１４ｃとストロボ筐体１０１の係止部１０１ｈとが係合する。これにより、ストロボユニット１００は、図６（ａ），（ｂ）に示す収納状態となる。なお、図６（ａ）は図５（ｂ）と同じ視点で描かれており、図６（ｂ）は、図６（ａ）とは反対の方向（図６（ａ）の奥側から手前側へ向かう方向）から見た図である。
【００３３】
ここで、ストロボユニット１００を収納位置へ引き込むための係止爪付勢ばね１１５の係止爪１１４に対する付勢力は、駆動ばね１１２とスイッチアシストレバー１２０のレバー付勢ばね１２１がストロボユニット１００を発光位置へ向かわせる力よりも十分に大きい。これにより、係止爪１１４が衝撃等により解除され難い構造を実現することができる。
【００３４】
図６（ｂ）に示すように、ストロボユニット１００が収納位置にあるとき、スイッチアシストレバー１２０の押圧部１２０ａは、上蓋１１１の上面１１１ｂに当接する。前述したようにスイッチアシストレバー１２０の押圧部１２０ａは、上蓋１１１の上面１１１ｂに設けられた貫通穴１１１ａよりも十分に大きく設定されており、上蓋１１１の上面１１１ｂに設けられた貫通穴１１１ａに落ち込むことはない。そのため、ストロボ位置検出スイッチ１３０の押し込み部１３０ａを動作ストローク以上に押込むことはない。
【００３５】
ストロボユニット１００を、収納位置から発光位置へ移動させる操作は、不図示であるが、概略、以下の通りである。即ち、ストロボユニット１００が図６（ａ），（ｂ）に示す収納位置にある状態で前カバー１４０に設けられたストロボアップボタンを押し下げると、演算処理回路からシャッタ駆動回路に信号が送られ、モータが駆動する。モータの駆動により遊星レバーが切り換えられ、ストロボ駆動ユニットの初段ギアに連結し、位相接片が固定されたカムギアを回転させる。
【００３６】
これにより、係止爪１１４を係止爪付勢ばね１１５の付勢方向と反対方向（図６（ａ）では時計回り方向）に回転させることができ、係止爪１１４の係止部１１４ｃがストロボ筐体１０１の係止部１０１ｈから外れる。こうして、ストロボユニット１００の緊定状態が解除されると、駆動ばね１１２とレバー付勢ばね１２１の付勢力により、回転軸１１０ａ，１１０ｂを中心にして、ストロボユニット１００は発光位置まで移動する。
【００３７】
なお、本実施形態では、ストロボ位置検出スイッチ１３０として、所定の押し込み量で電気的に接続するノーマルオープンタイプの押し込み式検出スイッチを用いた。但し、これに限定されるものではなく、ストロボ位置検出スイッチ１３０として、所定の押し込み量で電気的接続を切断するノーマルクローズタイプの押し込み式検出スイッチを使用しても構わない。
【００３８】
以上の説明の通り、本実施形態によれば、スイッチアシストレバー１２０の押圧部１２０ａでストロボ位置検出スイッチ１３０の押し込み部１３０ａを押し込む。これにより、発光ユニット２００が収納位置よりも高い位置にある状態でも、ストロボ位置検出スイッチ１３０の押し込み部１３０ａを押し込むことができる。したがって、発光ユニット２００が発光位置にあることを、発光ユニット２００が発光位置に近い位置にあるときに（換言すれば、発光ユニット２００が収納位置から離れた位置にあるときに）、検出することができる。
【００３９】
また、スイッチアシストレバー１２０は、ストロボユニット１００が収納位置にあるときに上蓋１１１の方向に付勢されている。この付勢力は、ストロボユニット１００が収納位置から発光位置まで移動するときの駆動力として作用するため、ストロボユニット１００の収納位置から発光位置への移動を、例えば低温環境下であっても、素早くスムーズに行うことができる。更に、スイッチアシストレバー１２０とレバー付勢ばね１２１は、駆動ばね１１２とストロボ筐体１０１の左右方向の中心に対して反対側に配置されているため、ストロボユニット１００が収納位置から発光位置まで移動するときの駆動力の左右のバランスがよい。これにより、ストロボユニット１００が収納位置から発光位置へ移動する際の片寄せを抑制して、ストロボユニット１００のスムーズな動きを実現することができる。
【００４０】
以上、本発明をその好適な実施形態に基づいて詳述してきたが、本発明はこれら特定の実施形態に限られるものではなく、この発明の要旨を逸脱しない範囲の様々な形態も本発明に含まれる。上記実施形態では、ストロボ位置検出スイッチ１３０は、ピンからなる押し込み部１３０ａを有するとしたが、押し込み部１３０ａをレバーで構成するように変形することも可能である。すなわち、レバーの先端が押し込まれることで、支点を中心にレバーが回転し、電気的接点のオン／オフが切り替わるスイッチを用いてもよい。
【符号の説明】
【００４１】
１００    ストロボユニット
１０１    ストロボ筐体
２００    発光ユニット
１１１    上蓋
１１０ａ，１１０ｂ    回転軸
１１２    駆動ばね
１１４    係止爪
１１５    係止爪付勢ばね
１２０    スイッチアシストレバー
１２１    レバー付勢ばね
１３０    ストロボ位置検出スイッチ
【図１】
2014224951.tif 000003
【図２】
2014224951.tif 000004
【図３】
2014224951.tif 000005
【図４】
2014224951.tif 000006
【図５】
2014224951.tif 000007
【図６】
2014224951.tif 000008
【図７】
2014224951.tif 000009